(57)【要約】【課題】  鍵束等の物品を保管管理を確実にするすることのできる連結具を提供する。【解決手段】本発明による連結具１０は、物品を結束するための結束部７と、それぞれ異なる鍵が対応する照合部２を有し、一方の照合部にはあらかじめ鍵Ａが挿入され抜けない状態とし、他の照合部に当該照合部に対応する鍵Ｂを挿入し所定の操作を行うことで一方の照合部に挿入された鍵の抜き取りを可能とすることを特徴とする．【選択図】  図  １
2006283338.tif 000002
【特許請求の範囲】
【請求項１】
物品を結束するための係止部と、それぞれ異なる鍵が対応する第一の照合部群と第二の照合部群を有し、あらかじめ第一の照合部群に対応する鍵が挿入され抜けない状態とし、第二の照合部群に対応する鍵を挿入し所定の操作を行うことで第一の照合部群に対応する鍵の抜き取りを可能とすることを特徴とする連結具。
【請求項２】
第一の照合部群に対応する鍵を抜き取り可能とすると、第二の照合部群に対応する鍵が抜けない状態となることを特徴とする請求項１に記載の連結具。
【請求項３】
前記連結具は、１または複数の物品と前記係止部により結束され、第一の照合部群に対応する鍵を物品の保管箱に固定し、第二の照合部群に対応する鍵を物品の取扱者が当該物品を携帯する際に使用する携行手段に固定し、前記物品が前記保管箱又は前記携行手段のいずれかに連結されることを特徴とする請求項１に記載の連結具。
【発明の詳細な説明】
【技術分野】
【０００１】
本発明は、連結具、特に鍵など厳重な保管管理が必要とされる物品を連結し、鍵の不正な持出しや紛失を防止する連結具に関する。
【背景技術】
【０００２】
例えば、警備会社では、機械警備を行っている施設に設置した警備機器からの火災警報等を受信した場合、当該施設がある区域を担当する警備員を当該施設に派遣し、状況確認等を行わせるようにしている。
【０００３】
このため、警備会社では、事前に顧客から機械警備を行う施設の鍵を預り、警報受信時は、当該施設に派遣する警備員に当該施設の鍵を所持させ、施設の状況確認や異常事態への初期対応等を行わせている。
【０００４】
顧客から預かっている鍵は、通常、警備員が待機している待機施設に設けられた保管箱に保管し、保管箱の扉を施錠することで不正な持ち出しを防止している。それらの鍵（施設の規模等により１本または複数本の場合がある。）は通常、同一の機械警備先施設の鍵毎にリングにより束ね、鍵を待機施設において保管する場合には、鍵束を固定するフックを備えた鍵保管箱のフックに鍵を束ねたリングを掛けて保管している。また、警備員等が保管箱から取り出して外部に持ち出す場合には、携行用ロープに取り付けたナス環に鍵を束ねたリングを掛けて携行し、鍵の置き忘れ等による紛失を防止している。
【０００５】
図１０は、これら従来の一般的な鍵の保管方法を示し、リングに束ねられた鍵が保管箱のフックに着脱可能に掛けられて保管された状態を示している。
【０００６】
また、図１１は、鍵が携行用ロープのナス環に掛けられた状態を示している。
【０００７】
ところで、上記のような鍵の保管、或いは携行方法には次の様な問題があった。図１０に示すような保管箱にあっては、鍵を束ねたリングを保管箱のフックに掛けて固定し、保管箱の扉を施錠するだけであるから、保管箱の扉を解錠してしまうと保管箱内の全ての鍵を保管箱から随時取り外すことが可能となり、鍵の不正な持ち出しが阻止できない。
【０００８】
また、上記の携行用ロープで携行する方法にあっては、鍵のリングがナス環から随時着脱可能な構造であるため、鍵がナス環から外されて、鍵の置き忘れ等による紛失事故を十分に防止することができない。
【０００９】
そこで、上記の問題を解決するため、鍵を収納する袋自体にインターロック式のロックボックスを設け、ロックボックスの周面に配したキー挿入口には常時１本のキーが挿入されて連結固定され、このキーにロープ等により連結されている対象物（袋の保管庫、担当者のベルト、車のグローブボックス）と袋との連結が解除できないようにして、袋が管理局内の保管庫にある状態、移動中の車両にある状態、担当員の腰に連結されている状態のいずれかの限定を行い、他の状態はあり得ないようにした連結装置が提案されている（特許文献１参照）。
【特許文献１】特開２０００−１１０４２０号公報
【発明の開示】
【発明が解決しようとする課題】
【００１０】
しかしながら、上記の連結装置は、鍵を保管する袋を結束しているだけであり、鍵が袋から取り出されてしまった場合、置き忘れ等による鍵の紛失を防止することができない。
【００１１】
また、使用するキーはロックピンを押し下げる棒状のものであればよく、キーの複製やこれに替わるものが容易に入手できるため、不正な持ち出しを確実に防止することもできない。
【００１２】
本発明は上記課題を解決するためになされたもので、厳重な保管管理が必要とされる物品が必ず特定の対象物に連結されるようにする、例えば、鍵等が保管庫もしくは操作用ロープのいずれかに必ず固定されるようにすることで、保管管理すべき物品である鍵等の紛失や不正な持ち出しを抑制する連結具を提供することを目的とする。
【課題を解決するための手段】
【００１３】
上記課題は、本発明の以下の手段により解決される。
【００１４】
本発明の一つの特徴は、
物品を結束するための係止部と、それぞれ異なる鍵が対応する第一の照合部群と第二の照合部群を有し、あらかじめ第一の照合部群に対応する鍵が挿入され抜けない状態とし、第二の照合部群に対応する鍵を挿入し所定の操作を行うことで第一の照合部群に対応する鍵の抜き取りを可能とすることを特徴とする連結具である。
【００１５】
本発明は、また、第一の照合部群に対応する鍵を抜き取り可能とすると、第二の照合部群に対応する鍵が抜けない状態となるようにすることを特徴としている。
【００１６】
また、前記連結具を、１または複数の物品と前記係止部により結束され、第一の照合部群に対応する鍵を物品の保管箱に固定し、第二の照合部群に対応する鍵を物品の取扱者が当該物品を携帯する際に使用する携行手段に固定し、前記物品が前記保管箱又は前記携行手段のいずれかに連結されることを特徴としている。
【発明の効果】
【００１７】
本発明によれば、ロックピンではなく鍵を使用することで、複製を困難にし、安全性をさらに高めることができる。
【００１８】
また、厳重な保管管理が必要とされる物品が必ず特定の対象物に連結されるようにすることで、物品の紛失や不正な持ち出し、或いは正規の取扱者でない第三者への鍵の貸与などを抑制することが可能となる。例えば、警備会社においては、保管管理が必要とされる警備先施設の鍵が保管庫もしくは携行用ロープのいずれかに必ず固定されるようにすることができ、鍵の紛失や不正な持ち出しを抑制することが可能となる。
【発明を実施するための最良の形態】
【００１９】
以下、図面を参照して、本発明の実施の形態を説明する。
［連結具の構造］
図１及び図２は，本発明の連結具の基本構造を示す。連結具１０は、２本の鍵Ａ,Ｂと、ソケット１から構成される。ソケット１は、全体として円筒状をなし、両端面に鍵挿入口２が開いた内筒３と、内筒３の外側の外筒４から成り、外筒４の内壁は内筒３と接した構造となっている。また、ソケット１には、物品を係止又は結束するための係止部７が設けられる。
【００２０】
外筒４と内筒３は、相互に抜け落ちないように図２に示される抜け落ち防止機構５によって支えられる。この抜け落ち防止機構５により、内筒３は外筒４の内壁に沿って回転することができるが、内筒３を外筒４の外へ取り出すことはできないようになっている。
【００２１】
次に、ソケット１の内部の詳細構造を図３（ａ）、（ｂ）、図４，図５を用いて説明する。
【００２２】
抜け落ち防止機構５は、ボールベアリング５ａとタンブラー５ｂとバネ５ｃで構成され、内筒３を外筒４に対して安定して固定できるように適当な間隔をおいて外筒の中央部に放射状に配置されている。この抜け落ち防止機構５は、バネ５ｃの力により、タンブラー５ｂを通してボールベアリング５ａが内筒に刻まれた凹部に押し付けられ、内筒３が外筒４から抜け落ちることを防ぐと同時に、内筒３が外筒４の内壁に沿って円滑に回転できるようになっている。
【００２３】
ソケット１内には照合部６が設けられる。この照合部６は、ピン６ａとタンブラー６ｂとバネ６ｃで構成され、内筒３の両端面に開いた２つの鍵挿入口２のそれぞれに対して、図示のように、ソケット１の軸方向に複数個整列して配設されている。この照合部６は、鍵Ａ及び鍵Ｂのそれぞれの鍵挿入口２に対応してそれぞれ複数設けられている。以下、便宜上、鍵Ａが挿入される鍵挿入口２に対応して設けられた複数の照合部６をまとめて照合部群６Ａ、鍵Ｂが挿入される鍵挿入口２に対応して設けられた複数の照合部６をまとめて照合部群６Ｂという。この照合部群６Ａと照合部群６Ｂは、鍵Ａが抜き差し可能となる位置と鍵Ｂが抜き差し可能になる位置が異なるよう、所定の角度（例えば９０度）ずらして配置されている。
【００２４】
各照合部６は、バネ６ｃの力によってタンブラー６ｂとピン６ａ内筒３の鍵Ａ、Ｂが挿入されて収まる穴（以下、「鍵穴」という。）に向かって押し出されており、鍵が鍵穴に挿入されていない状態（図３（ａ）左側）のときは、内筒３と外筒４の接触面の位置にタンブラー６ｂが位置し、内筒３は回転できない状態となっている。
【００２５】
鍵Ａを鍵挿入口２に挿入すると（図３（ｂ）左側）、照合部群６Ａを構成する各照合部６のピン６ａとタンブラー６ｂが外筒４側へ押し付けられ、照合部群６Ａを構成する全ての照合部６のピン６ａとタンブラー６ｂの境界面と、内筒３と外筒４の接触面が一致し、シアーライン（せん断線）ができる。これによって、内筒３が外筒４の内壁に沿って回転することができるようになる。
【００２６】
なお、上記図３は、内筒３が鍵Ａの抜き差しが可能な位置、つまり、照合部群６Ａを構成する各照合部６のピン６ａとタンブラー６ｂとバネ６ｃが一直線上に並ぶ位置にある場合を例に説明したものである。このとき、鍵穴に挿入されている鍵Ｂは照合部群６Ｂを構成する各照合部６のピン６ａに阻まれて、抜き差しができない状態にある（図３（ａ）（ｂ）右側）。これは、照合部群６Ａと照合部群６Ｂが所定の角度ずらして配置されているためである。
【００２７】
また、鍵Ａを内筒３に挿入することで、内筒３を回転させることができるが、内筒３の回転中（鍵Ａまたは鍵Ｂが抜き差し可能になる位置のいずれでもない位置、つまり、照合部群６Ａおよび照合部群６Ｂを構成する各照合部６のピン６ａとタンブラー６ｂとバネ６ｃが一直線上に並ぶ位置にない場合）は、照合部６のピン６ａにより鍵Ａ，Ｂの抜取りが阻止されており、いずれの鍵も抜くことができない状態となる（図４）。
【００２８】
照合部群６Ｂを構成する各照合部６のピン６ａとタンブラー６ｂとバネ６ｃが一直線上に並ぶ位置まで内筒３を回転させると、照合部群６Ｂを構成する各照合部６のピン６aの押し上げが可能になり、鍵Ｂを抜き取ることができる状態となる。
【００２９】
鍵Ｂが抜取られると、照合部群６Ｂを構成する各照合部６は、バネ６ｃの力によってタンブラー６ｂとピン６ａが内筒３の鍵穴に向かって押し出され（図５右側）る。これにより、内筒３と外筒４の接触面の位置にタンブラー６ｂが位置し、シアーラインができなくなるため、内筒３は回転できない状態となる。また、鍵穴に挿入されている鍵Ａは、照合部群６Ｂを構成する各照合部６のピン６ａにより抜取りが阻止され、内筒３から抜くことができない状態となる（図５左側）。なお、鍵Ａを抜き取るには、まず、再度鍵Ｂを内筒３に挿入することで、内筒３を回転させることができる状態とする。そして、鍵Ａが抜き差し可能になる位置、つまり、照合部群６Ａを構成する各照合部６のピン６ａとタンブラー６ｂとバネ６ｃが一直線上に並ぶ位置まで内筒３を回転させれば、鍵Ａの抜き取りが可能となる。
【００３０】
［連結具の動作］
次に、本発明の連結具の動作を鍵束の持ち出し等を管理する場合を例に説明する。
【００３１】
保管箱への鍵の保管
図６は鍵束２０が連結具１０により保管箱３０に収容固定される状態を示した図である。
保管箱３０には、１つまたは複数の鍵Ａが固定設置されている。
【００３２】
鍵束２０が結束されている連結具１０には内部に照合部群を備えた２つの連結部Ａ,Ｂがあり、それぞれ異なる鍵（鍵Ａ,鍵Ｂ）が対応している。
【００３３】
鍵束２０を保管箱３０に保管する場合、連結具１０の一方の連結部Ａに保管箱３０に設けられた鍵Ａを挿入し抜けない状態とすることで、連結具１０を保管箱３０へ固定する、つまり、鍵束を保管箱３０へ固定し保管することができる。
【００３４】
保管箱からの鍵の持ち出し
警備員等の取扱者が、保管箱３０に連結されている鍵束２０の付いている連結具１０を取り外して、鍵束２０を持ち出す場合を図７により説明する。取扱者は鍵束２０を持ち出して携行する場合には、鍵束の付いた連結具１０を携行手段である携行用ロープ４０に結合して身につけるようにする。この携行用ロープ４０は、取扱者のベルト等に結束されている。
【００３５】
鍵束２０の取扱者が身につける携行用ロープ４０には鍵Ｂが固定されている。取扱者が保管箱３０から鍵束２０を持ち出す場合、取扱者は、まず、図７（ａ）、（ｂ）に示すように、連結具１０の連結部Ｂに携行用ロープ４０に固定された鍵Ｂを挿入する。すると、先に説明したように連結部１０の内筒３が回転可能となるため、連結部１０の内筒３を所定の位置まで回転させることで（図７（ｃ））、連結部１１が鍵Ａより抜き取り可能となる（図７（ｄ））。これにより、連結具１０（鍵束２０）を保管箱３０より持ち出することができる。
なお、先に説明したように、持ち出された連結具１０（鍵束２０）は、携行用ロープ４０に固定された鍵Ｂから抜き取れない状態となる。
上述のように、本発明による連結具１０を使用することにより、鍵束の不正な持ち出しを防止でき、鍵束の保管管理を確実なものとすることができる。
【００３６】
鍵束の携行
図８に示すように、鍵Ａより抜き取られた連結具１０（鍵束２０）は、先に説明したように保管箱３０内の鍵Ａから抜き取られると鍵Ｂより抜けない状態になる（図８）。このため、取扱者は、保管箱３０から持ち出した連結具１０（鍵束２０）を取扱者のベルト等に結束されている携行用ロープ４０に連結された状態でのみ携行することができることになり、鍵束２０は絶えず取扱者が身に付けた状態を保つことができる。
【００３７】
上述のように、本発明による連結具１０を使用することにより、取扱者の鍵束の置き忘れ、或いは正規の取扱い者でない第三者への鍵の貸与などを防止でき、鍵束の保管管理を確実なものとすることができる。
【００３８】
鍵束の取扱者の管理
次に、保管箱に保管された鍵束の持ち出し等の取扱者の権限管理について説明する。
【００３９】
図９において、保管箱３０には１または複数の鍵Ａを、取扱者Ａの携行用ロープＡには保管箱３０に固定された鍵Ａと同じ鍵Ａを、取扱者Ｂの携行用ロープＢに鍵Ｂを、取扱者Ｃの携行用ロープＣに鍵Ｃをそれぞれ固定するものとし、それぞれの鍵Ａ，Ｂ，Ｃは、それぞれ異なるものとする。
【００４０】
連結具１０（鍵束２０）が保管箱３０内に保管されているときは、鍵Ａに対応する照合具群を備えた連結部Ａには保管箱３０の鍵Ａが挿入されており、保管箱３０から連結具１０（鍵束２０）を持ち出す場合、他方の連結部Ｂに対応する鍵Ｂによってのみ連結具１０（鍵束２０）の持ち出しが可能となる。
【００４１】
つまり、保管箱３０からの連結具１０（鍵束２０）を持ち出せるのは鍵Ｂを所持する取扱者Ｂのみということになり、取扱者Ａおよび取扱者Ｃは連結具１０（鍵束２０）を持ち出すことはできない。
【００４２】
連結具１０（鍵束２０）が取扱者Ｂの携行用ロープＢに連結されている場合、鍵Ｂに対応する照合具群を備えた連結部Ｂには取扱者Ｂが所持する鍵Ｂが挿入されており、他方の連結部Ａに対応する鍵Ａによって取扱者Ｂの携行用ロープＢとの連結を解除することができる。
【００４３】
取扱者Ａの携行用ロープには鍵Ａ（保管箱３０に固定された鍵Ａと同じ鍵）が固定されている。したがって、取扱者Ａは保管箱３０から直接連結具１０（鍵束２０）を持ち出すことはできない。しかしながら、取扱者Ｂが持ち出し、取扱者Ｂの携行用ロープＢに連結されている連結具１０の連結部Ａに自己が所持する鍵Ａを挿入することで、連結具１０（鍵束２０）と取扱者Ｂの携行用ロープＢとの連結を解除し、連結具１０（鍵束２０）を自己の携行用ロープＡに連結させ、鍵束２０を所持することが可能となる。
【００４４】
ただし、連結具１０（鍵束２０）が取扱者Ａの携行用ロープＡに連結されている場合、保管箱３０に保管されているときと同様に、鍵Ａに対応する連結部Ａには取扱者Ａが所持する鍵Ａが挿入されており、取扱者Ａの携行用ロープＡとの連結の解除は、連結部Ｂに対応する鍵Ｂでなければできない。したがって、取扱者Ａは、直接保管箱３０に連結具１０（鍵束２０）を戻すことはできず、保管箱３０からの連結具１０（鍵束２０）の持ち出しや返却は、権限を有する取扱者Ｂによってのみ行われることになる。
【００４５】
なお、取扱者Ｃの携行用ロープＣに固定された鍵Ｃは、連結具１０の連結部Ａ，Ｂのいずれとも対応しないため、取扱者Ｃは、連結具１０（鍵束２０）を保管箱３０から持ち出したり、連結具１０（鍵束２０）を所持することはできない。
【００４６】
上述のように、本発明の連結具１０を使用することにより、保管箱から連結具１０（鍵束２０）を持ち出すことができる権限を特定の者にのみ与えることができ、権限のない者による鍵束の不正な持ち出しや、正規の取扱い者でない第三者への鍵の貸与などを確実に防止できる。
【００４７】
なお、取扱者の異なる複数の鍵束２０を同一の保管箱３０で保管管理する場合、これまで説明してきた連結具１０の連結部Ｂを鍵束毎あるいは鍵束の取扱者毎に異なるものとし、各鍵束２０の持ち出し等を認められている取扱者には、当該取扱者が保管箱３０からの持ち出し等を認められている連結具１０（鍵束２０）の連結部に対応する鍵のみを所持させる。
【００４８】
これにより、取扱者の異なる複数の鍵束を同一の保管箱で保管管理するような場合にあっても、正規の取扱い者でない第三者による鍵束の不正な持ち出しを確実に防止できる。
【００４９】
以上、本発明によれば、鍵束が保管庫もしくは操作ロープのいずれかに必ず固定されるようにしているので、鍵束の紛失や不正な取り扱いを抑制することが可能となる。
【００５０】
また、本発明によれば、ロックピンではなく鍵を使用することで、複製を困難にし、安全性をさらに高めることができる。
【００５１】
以上、本発明を鍵束を管理する場合について説明したが、連結具は、鍵束の管理保管に限定されるものでなく、厳重な管理保管が求められるものであれば、適用できることは明らかである。例えば、社印、実印の保管管理、ＩＤカードの保管管理など、種々の用途に利用可能である。
【図面の簡単な説明】
【００５２】
【図１】本発明の連結具の基本構造を示す図である。
【図２】抜け落ち防止機構を示す図である。
【図３】鍵Ａが抜かれ、鍵Ｂが内筒から抜くことができない状態を示す図である。
【図４】鍵Ａ，Ｂのいずれの鍵も抜くことができない状態を示す図である。
【図５】鍵Ｂが抜かれ、鍵Ａが内筒から抜くことができない状態を示す図である。
【図６】鍵束が鍵束連結具により保管箱に収容固定される状態を示す。
【図７】保管箱より鍵束連結具を取り外して持ち出す場合の操作を説明する図である。
【図８】鍵束の携行時の状態を示す図である。
【図９】鍵束の権限管理の行われ方の一例を示す図である。
【図１０】従来の一般的な鍵束の保管方法を示す図である。
【図１１】鍵束が携行ロープのナス環に掛けられた状態を示す図である。
【符号の説明】
【００５３】
１  ソケット
２  鍵挿入口
３  内筒
４  外筒
５  抜け落ち防止機構
６  照合部
７  係止部
１０  連結具
２０  鍵束
３０  保管箱
４０  携行用ロープ
【図１】
2006283338.tif 000003
【図２】
2006283338.tif 000004
【図３】
2006283338.tif 000005
【図４】
2006283338.tif 000006
【図５】
2006283338.tif 000007
【図６】
2006283338.tif 000008
【図７】
2006283338.tif 000009
【図８】
2006283338.tif 000010
【図９】
2006283338.tif 000011
【図１０】
2006283338.tif 000012
【図１１】
2006283338.tif 000013